【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、
前記空間部に前記スチーム生成ユニットを加熱可能に配置された熱源と、
前記洗浄槽に、その槽内に開口するように形成された噴出口と、
を備え、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記噴出口は、前記洗浄槽の底部を上下方向に貫通した形態の筒状部材により形成し、
前記筒状部材の前記洗浄槽内への突出部分には、その筒状部材の上端開口部を上方から覆い、且つ当該上端開口部より下方の位置に水蒸気通路となる開口部が形成されたカバー部材を設けていることを特徴とする食器洗浄機。
【請求項２】
外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、
前記空間部に前記スチーム生成ユニットを加熱可能に配置された熱源と、
前記洗浄槽に、その槽内に開口するように形成された噴出口と、
を備え、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記熱源は前記スチーム生成ユニットに組み付けられて一体化され、これら一体化物は、前記外箱内の被取り付け部位に対して、熱伝導を抑止する形態の支持部材を介して取り付けていることを特徴とする食器洗浄機。
【請求項３】
外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、
前記空間部に前記スチーム生成ユニットを加熱可能に配置された熱源と、
前記洗浄槽に、その槽内に開口するように形成された噴出口と、
を備え、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの内底部は、当該ユニットが所定位置に配置された状態で前記給水口側から前記蒸気吐出口側へ向かうに従って下降傾斜された状態となっていることを特徴とする食器洗浄機。
【請求項４】
外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、
前記空間部に前記スチーム生成ユニットを加熱可能に配置された熱源と、
前記洗浄槽に、その槽内に開口するように形成された噴出口と、
を備え、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの内底部には、前記給水口に下方から対向する部位に他の部位より立ち上がった形態の段部を形成していることを特徴とする食器洗浄機。
【請求項５】
外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、
前記空間部に前記スチーム生成ユニットを加熱可能に配置された熱源と、
前記洗浄槽に、その槽内に開口するように形成された噴出口と、
を備え、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの前記蒸気吐出口は、当該ユニットにおいて前記熱源による加熱エネルギが最も集中する部位と対応した位置に設けていることを特徴とする食器洗浄機。
【請求項６】
外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、
前記空間部に前記スチーム生成ユニットを加熱可能に配置された熱源と、
前記洗浄槽に、その槽内に開口するように形成された噴出口と、
前記スチーム生成ユニットの温度を検知する温度センサと、
前記スチーム生成ユニット内に前記給水口を通じて水を供給する給水手段と、
制御手段と、
を備え、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記制御手段は、前記温度センサによる検知温度が予め設定された基準温度を超える毎に、前記給水手段による給水動作を所定時間だけ実行することを特徴とする食器洗浄機。
【請求項７】
外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、
前記空間部に前記スチーム生成ユニットを加熱可能に配置された熱源と、
前記洗浄槽に、その槽内に開口するように形成された噴出口と、
を備え、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの内部にあって前記給水口と対応した位置には、前記給水口を囲う形態とされた隔壁部を突出するように形成していることを特徴とする食器洗浄機。
【請求項８】
前記温度センサは、前記スチーム生成ユニットの底部温度を検知する構成とされていることを特徴とする請求項６記載の食器洗浄機。
【手続補正２】
【補正対象書類名】明細書
【補正対象項目名】０００５
【補正方法】変更
【補正の内容】
【０００５】
請求項１記載の発明は、外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、前記空間部に前記スチーム生成ユニットを加熱可能に配置された熱源と、前記洗浄槽に、その槽内に開口するように形成された噴出口とを備えた上で、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記噴出口は、前記洗浄槽の底部を上下方向に貫通した形態の筒状部材により形成し、
前記筒状部材の前記洗浄槽内への突出部分には、その筒状部材の上端開口部を上方から覆い、且つ当該上端開口部より下方の位置に水蒸気通路となる開口部が形成されたカバー部材を設けたことを特徴とするものである。
請求項２の発明は、外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、前記空間部に前記スチーム生成ユニットを加熱可能に配置された熱源と、前記洗浄槽に、その槽内に開口するように形成された噴出口とを備えた上で、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記熱源は前記スチーム生成ユニットに組み付けられて一体化され、これら一体化物は、前記外箱内の被取り付け部位に対して、熱伝導を抑止する形態の支持部材を介して取り付けていることを特徴とするものである。
請求項３の発明は、外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、前記空間部に前記スチーム生成ユニットを加熱可能に配置された熱源と、前記洗浄槽に、その槽内に開口するように形成された噴出口とを備えた上で、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの内底部は、当該ユニットが所定位置に配置された状態で前記給水口側から前記蒸気吐出口側へ向かうに従って下降傾斜された状態となっていることを特徴とするものである。
請求項４の発明は、外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、前記空間部に前記スチーム生成ユニットを加熱可能に配置された熱源と、前記洗浄槽に、その槽内に開口するように形成された噴出口とを備えた上で、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの内底部には、前記給水口に下方から対向する部位に他の部位より立ち上がった形態の段部を形成していることを特徴とするものである。
請求項５の発明は、外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、前記空間部に前記スチーム生成ユニットを加熱可能に配置された熱源と、前記洗浄槽に、その槽内に開口するように形成された噴出口とを備えた上で、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの前記蒸気吐出口は、当該ユニットにおいて前記熱源による加熱エネルギが最も集中する部位と対応した位置に設けていることを特徴とするものである。
請求項６の発明は、外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、前記空間部に前記スチーム生成ユニットを加熱可能に配置された熱源と、前記洗浄槽に、その槽内に開口するように形成された噴出口と、前記スチーム生成ユニットの温度を検知する温度センサと、前記スチーム生成ユニット内に前記給水口を通じて水を供給する給水手段と、制御手段とを備えた上で、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記制御手段は、前記温度センサによる検知温度が予め設定された基準温度を超える毎に、前記給水手段による給水動作を所定時間だけ実行することを特徴とするものである。
請求項７の発明は、外箱内に、洗浄槽及びこの洗浄槽内に収容された食器類に向けて洗浄水を噴射するための洗浄手段を設けた食器洗浄機において、
給水口及び蒸気吐出口を備えた密閉容器状に形成され、前記洗浄槽底部と前記外箱底部との間の空間部に配置されたスチーム生成ユニットと、前記空間部に前記スチーム生成ユニットを加熱可能に配置された熱源と、前記洗浄槽に、その槽内に開口するように形成された噴出口とを備えた上で、
前記スチーム生成ユニット内に前記給水口を通じて供給した水を前記熱源により加熱することによって生成した水蒸気を、前記蒸気吐出口から前記噴出口を通じて前記洗浄槽内へ供給する構成とし、
前記スチーム生成ユニットの内部にあって前記給水口と対応した位置には、前記給水口を囲う形態とされた隔壁部を突出するように形成していることを特徴とするものである。
【手続補正３】
【補正対象書類名】明細書
【補正対象項目名】０００６
【補正方法】変更
【補正の内容】
【０００６】
外箱内に、洗浄槽及びこの洗浄槽内に収容された食器類に向けて洗浄水を噴射するための洗浄手段を設けた食器洗浄機においては、洗浄槽底部と外箱底部との間に、デッドスペースとなる空間部（隙間）が存在するという事情がある。請求項１〜７記載の各手段では、給水口及び蒸気吐出口を備えた密閉容器状に形成されたスチーム生成ユニット及びこのスチーム生成ユニットを加熱可能な熱源を、上記デッドスペースとなる空間部に配置する構成となっているから、それらスチーム生成ユニット及び熱源の存在が、洗浄槽に係る容積効率の悪化原因になる恐れがなくなる。また、このようなスチーム生成ユニット内で水を加熱することにより生成した水蒸気を、洗浄槽内に開口するように形成された噴出口を通じて当該洗浄槽内へ供給する構成となっているから、結果的に、洗浄槽内に加熱水蒸気を供給するためのスチーム工程を実行可能な構造を、容積効率の悪化を伴うことなく実現できるようになる。
【手続補正４】
【補正対象書類名】明細書
【補正対象項目名】００１９
【補正方法】変更
【補正の内容】
【００１９】
即ち、図５及び図６には、スチーム生成ユニット４０についての斜視図及び縦断面図がそれぞれ示され、図７及び図８にはスチーム生成ユニット４０の本体部４１の下面図及び斜視図がそれぞれ示されている。
【手続補正５】
【補正対象書類名】明細書
【補正対象項目名】００２９
【補正方法】変更
【補正の内容】
【００２９】
この場合、スチーム生成ユニット４０の給水口４４（特には筒状体４４ａ）が、可撓性及び２００℃程度の耐熱性を備えたチューブ５６を介して給水弁３８（給水手段に相当）に連結されている。また、図４に拡大して示すように、洗浄槽１２には、当該洗浄槽１２の底部を上下に貫通した形態の筒状部材５７ａにより形成された噴出口５７が設けられており、その筒状部材５７ａの下端部（洗浄槽１２の底部から下方へ突出した部分）に対して、スチーム生成ユニット４０の蒸気吐出口４５（特には、筒状体４５ａ）が、可撓性及び２００℃程度の耐熱性を備えたチューブ５８を介して連結されている。
【手続補正６】
【補正対象書類名】明細書
【補正対象項目名】００４０
【補正方法】変更
【補正の内容】
【００４０】
この場合、スチーム生成ユニット４０の給水口４４及び蒸気吐出口４５と給水弁３８及び噴出口５７との各間は、可撓性及耐熱性を備えたチューブ５６や５８を介して連結されているから、スチーム生成ユニット４０の配置に係る自由度を、上記給水弁３８及び噴出口５７の位置に大きな影響を受けることなく高め得ると共に、スチーム生成ユニット４０のための配管構造を単純化できるようになる。
【手続補正７】
【補正対象書類名】明細書
【補正対象項目名】００４５
【補正方法】変更
【補正の内容】
【００４５】
シーズヒータ４７を埋め込み状に組み付けた状態のスチーム生成ユニット４０は、外箱１３内の被取り付け部位（洗浄槽１２の底面外部）に対して、熱伝導を抑止する形態の第１支持板６０及び第２支持板６１を介して取り付けられているから、少なくとも底壁部分が合成樹脂により形成された洗浄槽１２に対して熱による悪影響が及ぶ事態を効果的に防止できるようになる。また、スチーム生成ユニット４０からの輻射熱を遮るための第１遮熱板６２及び第２遮熱板６３が設けられているから、その輻射熱による悪影響が発生する事態を未然に防止できる。
【手続補正８】
【補正対象書類名】明細書
【補正対象項目名】００５２
【補正方法】変更
【補正の内容】
【００５２】
１１は食器洗浄機、１２は洗浄槽、１３は外箱、１４は下部扉、１５は上部扉、２０は噴射ノズル（洗浄手段）、２２は回転式噴射ノズル（洗浄手段）、３８は給水弁（給水手段）、４０はスチーム生成ユニット、４１は本体部、４１ａは加熱皿、４１ｂは段部、４２は蓋部、４３は耐熱パッキン、４４は給水口、４５は蒸気吐出口、４７はシーズヒータ（熱源）、４９はサーミスタ（温度センサ）、５５は制御回路ユニット（制御手段）、５６はチューブ、５７は噴出口、５７ａは筒状部材、５８はチューブ、５９はカバー部材、５９ａは開口部、６０は第１支持板（支持部材）、６１は第２支持板（支持部材）を示す。
【手続補正９】
【補正対象書類名】図面
【補正対象項目名】図２
【補正方法】変更
【補正の内容】
【図２】
2007130143.tif 000001